(57)【要約】【課題】選局時や映像の切替時における映像の見易さを向上し得るテレビを提供する。【解決手段】選局操作によって選局されたチャンネルの映像音声信号Ｓａを抽出するチューナ１２と、チューナ１２によって抽出されている映像音声信号Ｓａに基づく映像を表示部１７に表示させると共に選局操作が行われたときに操作後に表示させる映像に関連する情報を映像と共に表示させる制御部２１とを備え、制御部２１は、選局操作によって同一のチャンネルが所定時間以内に複数回選択されたときに、複数回のうちの２回目以降の選択時における情報の表示時間を最初の選択時における表示時間よりも短縮させる。【選択図】図１
2007150401.tif 000002
【特許請求の範囲】
【請求項１】
選局操作によって選局されたチャンネルの信号を抽出する信号抽出部と、前記信号抽出部によって抽出されている抽出信号に基づく映像を表示部に表示させると共に前記選局操作が行われたときに当該操作後に表示させる映像に関連する情報を当該映像と共に表示させる制御部とを備え、
前記制御部は、前記選局操作によって同一のチャンネルが所定時間以内に複数回選択されたときに、当該複数回のうちの２回目以降の選択時における前記情報の表示時間を最初の選択時における表示時間よりも短縮させるテレビ。
【請求項２】
選局操作によって選局されたチャンネルの信号を抽出する信号抽出部と、前記信号抽出部によって抽出されている抽出信号に基づく映像および外部装置からの外部信号に基づく映像のうちのいずれかの映像を切替操作に応じて切り替えて表示部に表示させると共に当該切替操作が行われたときに当該操作後に表示させる映像に関連する情報を当該映像と共に表示させる制御部とを備え、
前記制御部は、前記切替操作によって同一の前記外部装置が所定時間以内に複数回選択されたときに、当該複数回のうちの２回目以降の選択時における前記情報の表示時間を最初の選択時における表示時間よりも短縮させるテレビ。
【請求項３】
前記制御部は、前記２回目以降の選択時における前記情報の表示サイズを前記最初の選択時における表示サイズよりも縮小させる請求項１または２記載のテレビ。
【発明の詳細な説明】
【技術分野】
【０００１】
本発明は、選局操作または切替操作が行われたときに映像に関連する情報を映像と共に表示させるテレビに関するものである。
【背景技術】
【０００２】
デジタル放送波を受信可能なテレビにおいて、デジタル放送波と共に送信されるＥＰＧデータを用いて、選局されたチャンネルで放送されているテレビ番組のタイトル等の情報をテレビ映像に重ね合わせて所定時間表示する機能を有するテレビが従来から知られている。この場合、情報が表示されることで、視聴者は、そのテレビ番組の内容をある程度把握することが可能となっている。しかしながら、この種のテレビでは、一般的に、選局操作を行う度に情報が所定時間表示されるため、例えば、選局操作を繰り返してチャンネル（テレビ番組）を何度か切り替えて、その中から視聴するテレビ番組を決定するときには、決定したテレビ番組のチャンネルを再び選局した際に、同じ情報が再び所定時間表示されることとなる。このため、このような使用形態においては、決定したテレビ番組を視聴しようとした視聴者にとって、内容を既に把握している情報についての再度の表示がテレビ番組の視聴の妨げとなることがある。この場合、この種のテレビのリモコンに一般的に備えられている非表示キーを操作することで情報を非表示とすることもできるが、操作が煩雑となるという不都合が生じる。このような不都合を解決可能な技術として、特開２０００−３２４４１８号公報に開示されたテレビジョン受信機が知られている。このテレビジョン受信機では、テレビ映像信号に基づく映像が垂直方向に圧縮して表示されると共に、番組表データに基づく番組表や番組文字情報が映像と重複しないように（重ならないように）画面の最下部に帯状に表示される。このため、番組表によって映像が隠されて視聴の妨げとなる事態を回避することが可能となっている。
【特許文献１】特開２０００−３２４４１８号公報（第７頁、第２図）
【発明の開示】
【発明が解決しようとする課題】
【０００３】
ところが、上記した従来のテレビジョン受信機には、以下の問題点がある。すなわち、このテレビジョン受信機では、番組表データに基づく番組表とテレビ映像信号に基づく映像とを重複させることなく表示させるために、映像を垂直方向に圧縮して表示している。したがって、映像が圧縮されて歪むため、従来のテレビジョン受信機には、視聴者に違和感を与えるという問題点が存在する。また、従来のテレビジョン受信機では、番組表や番組文字情報を映像と共に常時表示している。このため、番組表や番組文字情報が視聴の妨げとなるという問題点も存在する。この場合、例えば、番組表や番組文字情報を非表示にして通常の圧縮していない映像の表示に切り替える切替キーを備える方法も考えられるが、切替キーの操作が必要なため煩雑となるという問題点が生じる。
【０００４】
本発明は、かかる問題点に鑑みてなされたものであり、選局時や映像の切替時における映像の見易さを向上し得るテレビを提供することを主目的とする。
【課題を解決するための手段】
【０００５】
上記目的を達成すべく本発明に係るテレビは、選局操作によって選局されたチャンネルの信号を抽出する信号抽出部と、前記信号抽出部によって抽出されている抽出信号に基づく映像を表示部に表示させると共に前記選局操作が行われたときに当該操作後に表示させる映像に関連する情報を当該映像と共に表示させる制御部とを備え、前記制御部は、前記選局操作によって同一のチャンネルが所定時間以内に複数回選択されたときに、当該複数回のうちの２回目以降の選択時における前記情報の表示時間を最初の選択時における表示時間よりも短縮させる。
【０００６】
このテレビでは、選局操作によって同一のチャンネルが所定時間以内に複数回選択されたときに、制御部が、複数回のうちの２回目以降の選択時における情報の表示時間を最初の選択時における表示時間よりも短縮させる。このため、最初の選択時に内容を十分に把握可能な長さの時間で表示した情報を、２回目以降の選択時には短時間のうちに表示停止させることができる。この結果、既に内容を把握している情報の再度の表示によって映像の一部が隠される時間を、極く短い時間に短縮することができる。したがって、このテレビによれば、選局操作によって所定時間以内に同一のチャンネルを選択したときにおける映像の見易さを十分に向上させることができる。
【０００７】
また、本発明に係るテレビは、選局操作によって選局されたチャンネルの信号を抽出する信号抽出部と、前記信号抽出部によって抽出されている抽出信号に基づく映像および外部装置からの外部信号に基づく映像のうちのいずれかの映像を切替操作に応じて切り替えて表示部に表示させると共に当該切替操作が行われたときに当該操作後に表示させる映像に関連する情報を当該映像と共に表示させる制御部とを備え、前記制御部は、前記切替操作によって同一の前記外部装置が所定時間以内に複数回選択されたときに、当該複数回のうちの２回目以降の選択時における前記情報の表示時間を最初の選択時における表示時間よりも短縮させる。
【０００８】
このテレビでは、切替操作によって同一の外部装置が所定時間以内に複数回選択されたときに、制御部が、複数回のうちの２回目以降の選択時における情報の表示時間を最初の選択時における表示時間よりも短縮させる。このため、最初の選択時に内容を十分に把握可能な長さの時間で表示した情報を、２回目以降の選択時には短時間のうちに表示停止させることができる。この結果、既に内容を把握している情報の再度の表示によって映像の一部が隠される時間を、極く短い時間に短縮することができる。したがって、このテレビによれば、切替操作によって所定時間以内に同一の外部装置を選択したときにおける映像の見易さを十分に向上させることができる。
【０００９】
また、本発明に係るテレビは、上記のテレビにおいて、前記制御部は、前記２回目以降の選択時における前記情報の表示サイズを前記最初の選択時における表示サイズよりも縮小させる。
【００１０】
このテレビでは、制御部が、２回目以降の選択時における情報の表示サイズを最初の選択時における表示サイズよりも縮小させる。このため、２回目以降の選択時において情報の表示によって隠される映像の表示面積を十分に小さく抑えることができる。したがって、選局操作や切替操作によって所定時間以内に同一のチャンネルまたは同一の外部装置を選択したときの映像の見易さを一層向上させることができる。
【発明を実施するための最良の形態】
【００１１】
以下、本発明に係るテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、ＥＰＧ情報取得部１３、信号切替部１４、映像音声処理部１５、映像出力部１６、表示部１７、音声出力部１８、スピーカ１９、受光部２０ａ、キー入力処理部２０、制御部２１、タイマ２２および選局切替情報保存部２３（以下、単に「保存部２３」ともいう）を備えている。
【００１２】
選局処理部１１は、制御部２１の制御に従い、チューナ１２に対して所定のチャンネルを選局させてそのチャンネルの映像音声信号Ｓａを抽出させる。チューナ１２は、本発明における信号抽出部に相当し、一例として、ＢＳデジタル放送、１１０度ＣＳデジタル放送、地上デジタル放送および地上アナログ放送を受信可能に構成されて、選局処理部１１の制御に従い、所定のチャンネルの映像音声信号Ｓａを図外のアンテナで受信した放送波から抽出して信号切替部１４に出力する。また、チューナ１２は、ＥＰＧ（Electric Program Guide）用のＥＰＧデータＤｅを放送波から抽出してＥＰＧ情報取得部１３に出力する。ＥＰＧ情報取得部１３は、制御部２１の制御に従い、選局されたチャンネルで放送されているテレビ番組の番組名や放送時間等の情報をＥＰＧデータＤｅから取得して番組情報Ｄｇを生成し、生成した番組情報Ｄｇを制御部２１に出力する。
【００１３】
信号切替部１４は、制御部２１の制御に従い、図１に示す入力端子２４ａ〜２４ｃを介して入力している外部装置１００ａ〜１００ｃからの映像音声信号Ｓａ（本発明における外部信号に相当する）、およびチューナ１２によって抽出されている映像音声信号Ｓａ（本発明における抽出信号に相当する）のうちのいずれかの映像音声信号Ｓａを切り替えて映像音声処理部１５に出力する。映像音声処理部１５は、制御部２１の制御に従い、信号切替部１４から出力される映像音声信号Ｓａに基づく映像信号Ｄｐおよび音声信号Ｄｖを映像出力部１６および音声出力部１８にそれぞれ出力する。映像出力部１６は、制御部２１の制御に従い、映像音声処理部１５から出力された映像信号ＤｐやＥＰＧ情報取得部１３によって生成された番組情報Ｄｇに基づいて映像Ｐや情報画像Ｃ１，Ｃ２（図２，４〜７参照。）の表示用の映像信号Ｓｐを生成して表示部１７に出力する。
【００１４】
表示部１７は、一例として、光学エンジンおよびスクリーンパネル（いずれも図示せず）を備え、映像出力部１６から出力される映像信号Ｓｐに対応する映像Ｐや情報画像Ｃ１，Ｃ２を表示する。具体的には、この表示部１７は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１５】
音声出力部１８は、制御部２１の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。受光部２０ａは、リモコン３から出力される赤外線信号Ｓｉを受光して復調信号Ｓｄを出力する。キー入力処理部２０は、受光部２０ａから出力された復調信号Ｓｄに対応する（つまりリモコン３の操作キーに対応する）操作信号Ｓｏを制御部２１に出力する。
【００１６】
制御部２１は、キー入力処理部２０から出力された操作信号Ｓｏに従い、選局処理部１１、ＥＰＧ情報取得部１３、信号切替部１４、映像音声処理部１５、映像出力部１６、音声出力部１８、タイマ２２および保存部２３を制御する。また、制御部２１は、リモコン３の選局キー３２および信号切替キー３３（いずれも図２参照）のいずれかに対応する操作信号Ｓｏがキー入力処理部２０から出力されたとき、つまり選局キー３２の操作（選局操作）および信号切替キー３３の操作（切替操作）のいずれかの操作が行われたとき、並びにリモコン３の電源キー３１の操作によってテレビ１に電源が投入されたときに、図３に示す情報画像表示処理５０を実行する。
【００１７】
この場合、制御部２１は、映像出力部１６を制御することにより、図２，４，６，７に示すように、本発明における映像に関連する情報を表す情報画像Ｃ１，Ｃ２（以下、区別しないときには「情報画像Ｃ」ともいう）を映像Ｐに重ね合わせて（映像Ｐと共に）所定の表示時間ｔ１だけ表示部１７に表示させる。ここで、情報画像Ｃ１は、例えば、選局操作によって選局されたチャンネルのチャンネル番号や、切替操作によって切り替えられた外部装置１００の種類を示す文字情報を表示する。また、情報画像Ｃ２は、例えば、選局されたチャンネルにおいて放送されているテレビ番組の番組名や放送時間を示す文字情報を表示する。また、制御部２１は、選局キー３２の操作および信号切替キー３３の操作のいずれかの操作が行われたときに、選局されたチャンネルまたは切り替えられた外部装置１００を示す情報（以下、この情報を「入力源情報」ともいう）と、情報画像Ｃの表示が開始された時刻（以下、この時刻を「表示開始時刻」ともいう）を示す表示開始時刻情報とを含む選局切替情報Ｄｉを生成して保存部２３に保存させる。
【００１８】
タイマ２２は、現在時刻を示す時刻データＤｔを制御部２１に出力すると共に制御部２１の制御に従って表示時間ｔ１をカウントしてその時間が経過したときにはタイマ信号Ｓｔを制御部２１に出力する。保存部２３は、制御部２１の制御に従い、選局切替情報Ｄｉを保存する。リモコン３は、図２に示すように、本体部２とは別体に形成されている。また、リモコン３は、電源キー３１、１２個の選局キー３２および信号切替キー３３などの各種操作キーが配列されて構成され、これらの操作キーが操作されたときに、各操作キーに対応する赤外線信号Ｓｉを出力（送信）する。
【００１９】
次に、テレビ１の全体的な動作について、図面を参照して説明する。この場合、入力端子２４ａには外部装置１００ａとしてのＶＴＲが接続されているものとする。また、初期状態（電源切断状態）では、保存部２３には選局切替情報Ｄｉが保存されていないものとする。このテレビ１では、図２に示すリモコン３の電源キー３１が操作された際に、リモコン３は、電源キー３１に対応する赤外線信号Ｓｉを出力し、受光部２０ａは、赤外線信号Ｓｉを受光して復調信号Ｓｄを出力する。また、キー入力処理部２０は、その復調信号Ｓｄに対応する操作信号Ｓｏを制御部２１に出力する。これに応じて、制御部２１は、表示部１７の光学エンジンに対する電源供給を開始すると共に、図３に示す情報画像表示処理５０を実行する。
【００２０】
この情報画像表示処理５０では、制御部２１は、タイマ２２からの時刻データＤｔに基づいて現在時刻を特定する。また、制御部２１は、保存部２３に選局切替情報Ｄｉが記憶されているときには、選局切替情報Ｄｉに含まれている表示開始時刻情報に基づいて表示開始時刻を特定すると共に、現在時刻よりも所定時間ｔ２（例えば２０秒：本発明における所定時間の一例）前の時刻（以下、この時刻を「基準時刻」ともいう）と、表示開始時刻とを比較して、基準時刻以前の表示開始時刻を示す表示開始時刻情報を含んでいる選局切替情報Ｄｉを保存部２３から削除する（ステップ５１）。この場合、この時点では、保存部２３には選局切替情報Ｄｉが保存されていないため、制御部２１は、実際には、ステップ５１（選局切替情報Ｄｉの削除）を実行することなく次のステップを実行する。次いで、制御部２１は、選局処理部１１を制御することにより、直前の電源切断時に選局されていたチャンネル（例えばＣＨ１）の映像音声信号Ｓａ、およびＥＰＧデータＤｅをチューナ１２に抽出させる。また、制御部２１は、信号切替部１４を制御することにより、チューナ１２からの映像音声信号Ｓａを映像音声処理部１５に出力させる（ステップ５２）。続いて、映像音声処理部１５は、信号切替部１４から出力された映像音声信号Ｓａに基づく映像信号Ｄｐおよび音声信号Ｄｖを映像出力部１６および音声出力部１８にそれぞれ出力する。次いで、音声出力部１８は、映像音声処理部１５から出力された音声信号Ｄｖを増幅して音声信号Ｓｖをスピーカ１９に出力し、スピーカ１９は、音声信号Ｓｖに基づく音声を出力する。
【００２１】
一方、制御部２１は、現在選局されているチャンネル（ＣＨ１）と同一のチャンネルを示す入力源情報を含んだ選局切替情報Ｄｉが保存部２３に保存されているか否かを判別する（ステップ５３）。この場合、この時点では、保存部２３に選局切替情報Ｄｉが保存されていないため、制御部２１は、情報画像Ｃを表示させる表示時間ｔ１を２秒に設定する（ステップ５４）。続いて、制御部２１は、ＥＰＧ情報取得部１３を制御することにより、選局されたチャンネルで放送されているテレビ番組の番組名や放送時間の情報（本発明における映像に関連する情報：一例として「ニュース」および「７：００〜７：３０」）を含む番組情報ＤｇをＥＰＧデータＤｅから取得させる。
【００２２】
次いで、制御部２１は、番組情報Ｄｇを映像出力部１６に転送すると共に、映像出力部１６を制御して、番組情報Ｄｇおよび映像音声処理部１５から出力された映像信号Ｄｐに基づき、選局されたチャンネルのチャンネル番号（この場合、ＣＨ１）を示す情報画像Ｃ１と、そのチャンネルで放送されているテレビ番組の番組名（ニュース）および放送時間（７：００〜７：３０）を示す情報画像Ｃ２とを映像Ｐに重ね合わせて表示するための映像信号Ｓｐを出力させる。続いて、表示部１７の光学エンジンは、映像信号Ｓｐに基づいて変調した投射光をスクリーンパネルに投射する。これにより、図２に示すように、情報画像Ｃ１，Ｃ２がＣＨ１の映像Ｐに重ね合わせて表示される（ステップ５５）。次いで、制御部２１は、タイマ２２を制御することにより、表示時間ｔ１（この場合、２秒）のカウントを開始させる（ステップ５６）。
【００２３】
続いて、制御部２１は、選局されているチャンネル（この例では、ＣＨ１）を示す入力源情報と情報画像Ｃの表示開始時刻を示す表示開始時刻情報とを含む選局切替情報Ｄｉ（以下、この選局切替情報Ｄｉを「選局切替情報Ｄｉ１」ともいう）を生成して保存部２３に保存させる（ステップ５７）。次いで、制御部２１は、選局操作または切替操作に対応する操作信号Ｓｏが入力されたか否かを判別し（ステップ５８）、その操作信号Ｓｏが入力されていないときには、タイマ２２からタイマ信号Ｓｔが出力されたか否か、つまり表示時間ｔ１が経過したか否かを判別する（ステップ５９）。この場合、表示時間ｔ１が経過していないときには、制御部２１は、ステップ５８，５９を繰り返し実行する。この際に、例えば、各チャンネルの番組内容を確認してから視聴するテレビ番組を決定するために、リモコン３における「２」の数字が付された（ＣＨ２に対応づけられた）選局キー３２（図２参照）を操作したときには、リモコン３、受光部２０ａおよびキー入力処理部２０が上記の動作と同様に動作することにより、その選局キー３２に対応する操作信号Ｓｏが制御部２１に出力される。この場合、表示時間ｔ１が経過する前に、操作信号Ｓｏが出力された（選局キー３２が操作された）ときには、制御部２１は、ステップ５８において、選局操作に対応する操作信号Ｓｏが入力されたと判別して、情報画像表示処理５０を終了する。一方、表示時間ｔ１が経過した後に操作信号Ｓｏが出力されたときには、制御部２１は、映像出力部１６を制御して、映像Ｐだけを表示するための映像信号Ｓｐを出力させることにより、情報画像Ｃの表示を停止させて（ステップ６０）、情報画像表示処理５０を終了する。
【００２４】
次に、制御部２１は、上記した選局キー３２に対応する操作信号Ｓｏに従い、情報画像表示処理５０を実行する。この場合、この時点では、保存部２３には、選局切替情報Ｄｉ１だけが記憶されている。ここで、例えば、前回の情報画像Ｃの表示開始時刻から所定時間ｔ２（２０秒）を経過する前に選局キー３２が操作されたときには、選局切替情報Ｄｉ１に含まれている表示開始時刻情報によって示される表示開始時刻が基準時刻以前ではないため、制御部２１は、ステップ５１（選局切替情報Ｄｉの削除）を実行することなく次のステップを実行する。続いて、制御部２１は、ＣＨ１の映像音声信号Ｓａに代えてＣＨ２の映像音声信号Ｓａをチューナ１２に抽出させる。また、制御部２１は、信号切替部１４を制御して映像音声信号Ｓａを映像音声処理部１５に出力させる（ステップ５２）。次いで、映像音声処理部１５、音声出力部１８およびスピーカ１９が上記の動作と同様に動作することにより、選局されたチャンネル（この場合、ＣＨ２）の音声が出力される。
【００２５】
続いて、制御部２１は、現在選局されているチャンネル（ＣＨ２）と同一のチャンネルを示す入力源情報を含んだ選局切替情報Ｄｉが保存部２３に保存されているか否かを判別する（ステップ５３）。この場合、この時点では、ＣＨ１を示す入力源情報を含んだ選局切替情報Ｄｉ１だけが保存されているため、制御部２１は、情報画像Ｃの表示時間ｔ１を２秒に設定する（ステップ５４）。次いで、制御部２１は、ＥＰＧ情報取得部１３を制御することにより、選局されたチャンネルで放送されているテレビ番組の番組名や放送時間の情報（一例として「天気予報」および「７：２５〜７：３０」）を含む番組情報Ｄｇを取得させる。
【００２６】
続いて、制御部２１は、映像出力部１６を制御して、番組情報Ｄｇおよび映像音声処理部１５から出力された映像信号Ｄｐに基づき、選局されたチャンネル（この場合、ＣＨ２）を示す情報画像Ｃ１と、そのチャンネルで放送されているテレビ番組の番組名（天気予報）および放送時間（７：２５〜７：３０）を示す情報画像Ｃ２とを映像Ｐに重ね合わせて表示するための映像信号Ｓｐを出力させる。次いで、表示部１７が上記の動作と同様に動作することにより、図４に示すように、情報画像Ｃ１，Ｃ２がＣＨ２の映像Ｐに重ね合わせて表示される（ステップ５５）。続いて、制御部２１は、タイマ２２に表示時間ｔ１（この場合、２秒）のカウントを開始させる（ステップ５６）。
【００２７】
次いで、制御部２１は、選局されているチャンネル（この例では、ＣＨ２）を示す入力源情報と情報画像Ｃの表示開始時刻を示す表示開始時刻情報とを含む選局切替情報Ｄｉ（以下、この選局切替情報Ｄｉを「選局切替情報Ｄｉ２」ともいう）を生成して保存部２３に保存させた後に（ステップ５７）、ステップ５８，５９を繰り返し実行する。この場合、選局操作または切替操作に対応する操作信号Ｓｏが入力されることなく表示時間ｔ１（この場合、２秒）が経過したときには、制御部２１は、映像出力部１６を制御して、映像Ｐだけを表示するための映像信号Ｓｐを出力させることにより、情報画像Ｃの表示を停止させて（ステップ６０）、情報画像表示処理５０を終了する。これにより、図５に示すように、ＣＨ２の映像Ｐだけが表示部１７に表示される。
【００２８】
次に、ＣＨ２のテレビ番組（映像Ｐ）に代えて、図１に示す入力端子２４ａに接続されている外部装置１００ａとしてのＶＴＲからの映像Ｐの内容を確認するときには、図２に示すリモコン３の信号切替キー３３を操作する。この際に、リモコン３は信号切替キー３３に対応する赤外線信号Ｓｉを出力し、キー入力処理部２０は信号切替キー３３に対応する操作信号Ｓｏを制御部２１に出力する。これに応じて、制御部２１は、情報画像表示処理５０を実行する。この場合、この時点では、保存部２３には、選局切替情報Ｄｉ１，Ｄｉ２が記憶されている。ここで、例えば、最初の情報画像Ｃの表示開始時刻から所定時間ｔ２（２０秒）を経過する前に信号切替キー３３が操作されたときには、選局切替情報Ｄｉ１，Ｄｉ２に含まれている表示開始時刻情報によって示される表示開始時刻がいずれも基準時刻以前ではないため、制御部２１は、ステップ５１（選局切替情報Ｄｉの削除）を実行することなく次のステップを実行する。続いて、制御部２１は、信号切替部１４を制御することにより、チューナ１２からの映像信号Ｓｐに代えて外部装置１００ａからの映像信号Ｓｐを映像音声処理部１５に出力させる（ステップ５２）。次いで、映像音声処理部１５、音声出力部１８およびスピーカ１９が上記の動作と同様に動作することにより、ＶＴＲからの音声が出力される。
【００２９】
続いて、制御部２１は、外部装置１００ａ（ＶＴＲ）と同一の外部装置１００を示す入力源情報を含んだ選局切替情報Ｄｉが保存部２３に保存されているか否かを判別する（ステップ５３）。この場合、この時点では、ＣＨ１およびＣＨ２を示す選局切替情報Ｄｉ１，Ｄｉ２だけが保存されているため、制御部２１は、情報画像Ｃの表示時間ｔ１を２秒に設定する（ステップ５４）。次いで、制御部２１は、映像出力部１６を制御して、映像音声信号Ｓａの出力源であるＶＴＲ（具体的には、入力端子２４ａに対応付けられた例えば「ビデオ１」）を示す情報画像Ｃ１をＶＴＲからの映像Ｐに重ね合わせて表示するための映像信号Ｓｐを出力させる。続いて、表示部１７が上記の動作と同様に動作することにより、図６に示すように、情報画像Ｃ１がＶＴＲの映像Ｐに重ね合わせて表示される（ステップ５５）。次いで、制御部２１は、タイマ２２に表示時間ｔ１（この場合、２秒）のカウントを開始させる（ステップ５６）。
【００３０】
続いて、制御部２１は、外部装置１００ａ（ＶＴＲ）を示す入力源情報と情報画像Ｃの表示開始時刻を示す表示開始時刻情報とを含む選局切替情報Ｄｉ（以下、この選局切替情報Ｄｉを「選局切替情報Ｄｉ３」ともいう）を生成して保存部２３に保存させた後に（ステップ５７）、ステップ５８，５９を繰り返し実行する。この際に、ＣＨ１，ＣＨ２以外の他のチャンネルにおけるテレビ番組の内容や、外部装置１００ａ以外の他の外部装置１００からの映像Ｐを確認するときには、各チャンネルに対応付けられた選局キー３２や信号切替キー３３を操作する。この場合、表示時間ｔ１が経過する前に、選局キー３２や信号切替キー３３が操作されてこれらに対応する操作信号Ｓｏが入力されたときには、制御部２１は、上記したように、その時点で情報画像表示処理５０を終了して新たに情報画像表示処理５０を実行し、表示時間ｔ１が経過した後にこの操作信号Ｓｏが入力されたときには、情報画像Ｃの表示を停止させた後に新たに情報画像表示処理５０を実行する。
【００３１】
ここで、例えば、各チャンネルのテレビ番組の内容や外部装置１００からの映像Ｐの内容を確認した結果、ＣＨ２のテレビ番組を視聴することとしたときには、「２」の数字が付された選局キー３２を再び操作する。この際に、制御部２１は、キー入力処理部２０から出力される操作信号Ｓｏに従って情報画像表示処理５０を実行する。この場合、例えば、最初の情報画像Ｃ（ＣＨ１についての情報画像Ｃ）の表示開始時刻から所定時間ｔ２（２０秒）を経過した後であって、２回目の情報画像Ｃ（ＣＨ２についての情報画像Ｃ）の表示開始時刻から所定時間ｔ２を経過する前に選局キー３２が操作されたときには、選局切替情報Ｄｉ１に含まれている表示開始時刻情報によって示される表示開始時刻が基準時刻以前であるため、制御部２１は、選局切替情報Ｄｉ１を削除する（ステップ５１）。次いで、制御部２１は、ＣＨ２の映像音声信号Ｓａをチューナ１２に抽出させると共に、信号切替部１４を制御して映像音声信号Ｓａを映像音声処理部１５に出力させる（ステップ５２）。続いて、映像音声処理部１５、音声出力部１８およびスピーカ１９が上記の動作と同様に動作することにより、選局されたチャンネル（この場合、ＣＨ２）の音声が出力される。
【００３２】
次いで、制御部２１は、現在選局されているチャンネル（ＣＨ２）と同一のチャンネルを示す入力源情報を含んだ選局切替情報Ｄｉが保存部２３に保存されているか否かを判別する（ステップ５３）。この場合、ＣＨ２を示す入力源情報を含んだ選局切替情報Ｄｉ２が保存されているため、制御部２１は、情報画像Ｃの表示時間ｔ１を０．５秒に設定する（ステップ６１）。これにより、所定時間ｔ２内に同一のチャンネルが複数回選択されたときに、その複数回のうちの２回目以降の選択時における情報画像Ｃの表示時間ｔ１がその複数回のうちの最初の選択時における表示時間ｔ１よりも短縮（この例では、２秒から０．５秒に短縮）される。続いて、制御部２１は、ＥＰＧ情報取得部１３を制御して、番組情報Ｄｇを取得させると共に、映像出力部１６を制御して、番組情報Ｄｇおよび映像信号Ｄｐに基づいて情報画像Ｃ１と情報画像Ｃ２とを映像Ｐに重ね合わせて表示するための映像信号Ｓｐを出力させる。この場合、制御部２１は、今回（所定時間ｔ２内における２回目以降に）表示させる情報画像Ｃの表示サイズを前回（所定時間ｔ２内における最初に）表示させた情報画像Ｃの表示サイズよりも縮小させるように映像出力部１６を制御する。
【００３３】
続いて、表示部１７が上記の動作と同様に動作することにより、図７に示すように、情報画像Ｃ１，Ｃ２が前回よりも縮小したサイズでＣＨ２の映像Ｐに重ね合わせて表示される（ステップ５５）。次いで、制御部２１は、タイマ２２に表示時間ｔ１（この場合、０．５秒）のカウントを開始させる（ステップ５６）。続いて、制御部２１は、ＣＨ２を示す入力源情報と情報画像Ｃの表示開始時刻を示す表示開始時刻情報とを含む選局切替情報Ｄｉ（以下、この選局切替情報Ｄｉを「選局切替情報Ｄｉ４」ともいう）を生成して保存部２３に保存させた後に（ステップ５７）、ステップ５８，５９を繰り返し実行する。
【００３４】
この場合、選局操作または切替操作に対応する操作信号Ｓｏが入力されることなく表示時間ｔ１（この場合、０．５秒）が経過したときには、制御部２１は、映像出力部１６を制御して、映像Ｐだけを表示するための映像信号Ｓｐを出力させることにより、情報画像Ｃの表示を停止させて（ステップ６０）、情報画像表示処理５０を終了する。これにより、図５に示すように、ＣＨ２の映像Ｐだけが表示部１７に表示される。この場合、最初にＣＨ２を選択したときにＣＨ２のテレビ番組の内容を十分に把握可能な２秒間表示された情報画像Ｃが、２回目のＣＨ２の選択時点では０．５秒でその表示が停止される。このため、既に内容を把握している情報画像Ｃの再度の表示によって映像Ｐの一部が隠される時間が極く短い時間に短縮される。また、２回目のＣＨ２の選局時点における情報画像Ｃの表示サイズが最初のＣＨ２の選局時点における表示サイズよりも縮小されるため、情報画像Ｃの表示によって隠される映像Ｐの表示面積が十分に小さく抑えられる。
【００３５】
また、例えば、ＣＨ２のテレビ番組に代えて他のテレビ番組を視聴するかを決定したり、テレビ番組に代えてＶＴＲからの映像Ｐおよび音声を視聴するか決定する場合において、選局キー３２や信号切替キー３３を操作したときには、制御部２１は、各操作キー３２，３３が操作される都度、これらの操作キー３２，３３に対応する操作信号Ｓｏに従って情報画像表示処理５０を実行する。この場合、制御部２１は、例えば、信号切替キー３３に対応する操作信号Ｓｏが入力されたときには、ステップ５１，５２を実行した後に、切替操作によって選択されている外部装置１００（例えば、外部装置１００ａ）と同一の外部装置１００を示す入力源情報を含んだ選局切替情報Ｄｉが保存部２３に保存されているか否かを判別する（ステップ５３）。この場合、外部装置１００ａを示す入力源情報を含んだ選局切替情報Ｄｉが保存されているときには、制御部２１は、情報画像Ｃの表示時間ｔ１を０．５秒に設定し（ステップ６１）、次いで、ステップ５５〜６０（またはステップ５５〜５９）を実行する。この場合、制御部２１は、ステップ５５において、所定時間ｔ２内における２回目以降に表示させる情報画像Ｃの表示サイズを所定時間ｔ２内における最初に表示させた情報画像Ｃの表示サイズよりも縮小させるように映像出力部１６を制御する。この場合においても、外部装置１００ａを最初に選択したときには２秒間表示された情報画像Ｃが、２回目の外部装置１００ａの選択時点では０．５秒でその表示が停止されるため、情報画像Ｃの再度の表示によって映像Ｐの一部が隠される時間が極く短い時間に短縮される。また、２回目の外部装置１００ａの選択時点における情報画像Ｃの表示サイズが最初の選択時点における表示サイズよりも縮小されるため、情報画像Ｃの表示によって隠される映像Ｐの表示面積が十分に小さく抑えられる。
【００３６】
このように、このテレビ１では、選局操作または切替操作のいずれかの操作によって同一のチャンネルまたは同一の外部装置１００が所定時間ｔ２以内に複数回選択されたときに、制御部２１が、その複数回のうちの２回目以降の選択時における情報画像Ｃの表示時間ｔ１をその複数回のうちの最初の選択時における表示時間ｔ１よりも短縮させる。このため、最初の選択時に選択したチャンネルのテレビ番組（映像Ｐ）の内容を十分に把握可能な長さの時間で表示した情報画像Ｃを、２回目の選択時には短時間のうちに表示停止させることができる。この結果、既に内容を把握している情報画像Ｃの再度の表示によって映像Ｐの一部が隠される時間を、極く短い時間に短縮することができる。したがって、このテレビ１によれば、選局操作や切替操作によって所定時間ｔ２内に同一のチャンネルまたは同一の外部装置１００を選択したときにおける映像Ｐの見易さを十分に向上させることができる。
【００３７】
また、このテレビ１では、制御部２１が、所定時間ｔ２内の２回目以降の選択時における情報画像Ｃの表示サイズを最初の選択時における表示サイズよりも縮小させる。このため、２回目以降の選択時において情報画像Ｃの表示によって隠される映像Ｐの表示面積を十分に小さく抑えることができる。したがって、選局操作や切替操作によって所定時間ｔ２内に同一のチャンネルまたは同一の外部装置１００を選択したときの映像Ｐの見易さを一層向上させることができる。
【００３８】
なお、本発明は、上記の構成に限定されない。例えば、光学エンジンおよびスクリーンパネルを有する表示部１７を備えたプロジェクションテレビ１に本発明を適用した例について上記したが、ＣＲＴ、液晶表示パネルおよびプラズマディスプレイ等で構成された表示部を備えたテレビに本発明を適用することもできる。また、２回目以降の情報画像Ｃの表示サイズを最初の情報画像Ｃの表示サイズよりも縮小させる例について上記したが、両表示サイズを同じサイズとしたり、２回目以降の表示サイズを最初の表示サイズよりも拡大する構成を採用することもできる。また、情報画像Ｃを映像Ｐに重ね合わせて表示する例について上記したが、情報画像Ｃと映像Ｐとを２画面表示させたり、ＰＩＰ（Picture In Picture）表示させたりする構成を採用することもできる。さらに、表示時間ｔ１および所定時間ｔ２は上記した時間に限定されず、任意に規定することができる。また、表示時間ｔ１および所定時間ｔ２を例えばリモコン３を用いて視聴者が任意に設定可能な構成を採用することもできる。
【図面の簡単な説明】
【００３９】
【図１】プロジェクションテレビ１の構成を示すブロック図である。
【図２】プロジェクションテレビ１の正面図である。
【図３】情報画像表示処理５０のフローチャートである。
【図４】ＣＨ２の映像Ｐおよび情報画像Ｃ１，Ｃ２の表示画面図である。
【図５】ＣＨ２の映像Ｐを単独で表示している表示画面図である。
【図６】ＶＴＲの映像Ｐおよび情報画像Ｃ１の表示画面図である。
【図７】ＣＨ２の映像Ｐおよび縮小された情報画像Ｃ１，Ｃ２の表示画面図である。
【符号の説明】
【００４０】
１  プロジェクションテレビ、３  リモコン、１２  チューナ、１３  ＥＰＧ情報取得部、１４  信号切替部、１７  表示部、２１  制御部、２２  タイマ、２３  選局切替情報保存部、３２  選局キー、３３  信号切替キー、１００ａ〜１００ｃ  外部装置、Ｃ１，Ｃ２  情報画像、Ｐ  映像、Ｓａ  映像音声信号、Ｓｔ  タイマ信号、ｔ１  表示時間、ｔ２  所定時間
【図１】
2007150401.tif 000003
【図２】
2007150401.tif 000004
【図３】
2007150401.tif 000005
【図４】
2007150401.tif 000006
【図５】
2007150401.tif 000007
【図６】
2007150401.tif 000008
【図７】
2007150401.tif 000009